(57)【要約】  一つ以上の物品を梱包するためのカートンは、第１側壁；第２側壁；前壁；及び後壁を含む、管状構造体を形成するための複数の壁部を備える。キャップが、管状構造体の第１端を閉鎖するために設けられる。キャップは、複数の壁部のうち第１壁部にヒンジ式に接続される。キャップは、上記第１端を閉鎖するための端部閉鎖パネル；キャップ前壁；第１キャップ側壁；及び第２キャップ側壁を備える。キャップ前壁、第１キャップ側壁、及び第２キャップ側壁は、複数の壁部のうち他の壁部の、第１端の近傍の部分を受容するように構成される。キャップは、平坦に折り畳まれた形態へ折り畳み可能であるように構成される。
2018527260.tif 000002
【特許請求の範囲】
【請求項１】
一つ以上の物品を梱包するためのカートンであって、
第１側壁；第２側壁；前壁；及び後壁を含む、管状構造体を形成するための複数の壁部と；
前記複数の壁部のうち第１壁部にヒンジ式に接続された、前記管状構造体の第１端を閉鎖するためのキャップであって、
前記第１端を閉鎖するための端部閉鎖パネル；
キャップ前壁；
第１キャップ側壁；及び
第２キャップ側壁；
を有し、
前記キャップ前壁、前記第１キャップ側壁、及び前記第２キャップ側壁は、前記複数の壁部のうち他の壁部の、前記第１端の近傍の部分を受容するように構成されており、
前記キャップは、平坦に折り畳まれた形態へ折り畳み可能であるように構成されている、キャップと、
を備えるカートン。
【請求項２】
管状構造体を形成するための前記複数の壁部は、平坦に折り畳まれた形態へ折り畳み可能であるように構成されている、請求項１に記載のカートン。
【請求項３】
前記キャップは、前記キャップを建立状態で固定するように前記キャップの係止を行うように構成された、少なくとも一つの係止タブ及び少なくとも一つの係止タブ受容部を備える、請求項１に記載のカートン。
【請求項４】
前記複数の壁部のうち第２壁部が、固定タブを備え、前記キャップは、前記キャップを閉鎖された状態で固定するためのキャップ固定配置を形成する固定タブ受容部を備える、請求項１に記載のカートン。
【請求項５】
前記キャップは、第１キャップ内側側壁及び第２キャップ内側側壁を備え、前記第１キャップ内側側壁及び前記第２キャップ内側側壁の各々は、少なくとも部分的にそれぞれの受容部を画定する切り取り部を備え、前記キャップは、前記受容部の各々に受容されるように配置された第１係止タブ及び第２係止タブを有する内側前壁を備える、請求項１に記載のカートン。
【請求項６】
前記キャップは、前記端部閉鎖パネルに設けられた前壁係止タブ受容部に受容されるように配置された第１前壁係止タブを有する内側前壁を備える、請求項１に記載のカートン。
【請求項７】
前記第１キャップ内側側壁及び前記第２キャップ内側側壁の各々は、側壁係止タブを備え、前記端部閉鎖パネルは、前記側壁係止タブの各々を受容するための第１側壁係止タブ受容部及び第２側壁係止タブ受容部を備える、請求項５に記載のカートン。
【請求項８】
前記キャップは、前記第１側壁を前記前壁とヒンジ式に相互接続する第１ウェブパネル対を備える、請求項１に記載のカートン。
【請求項９】
前記キャップは、前記第２側壁を前記前壁とヒンジ式に相互接続する第２ウェブパネル対を備える、請求項１に記載のカートン。
【請求項１０】
前記キャップは、前記第１側壁にヒンジ式に接続された第１側壁固定タブを備える、請求項１に記載のカートン。
【請求項１１】
前記キャップは、前記第２側壁にヒンジ式に接続された第２側壁固定タブを備える、請求項１に記載のカートン。
【請求項１２】
前記カートンは、第１パネル、第２パネル、及び前記第２パネルを前記第１パネルから離間させるためのスペーサパネルを有する第１物品受容構造を備える、請求項１に記載のカートン。
【請求項１３】
前記第１パネルは、前記カートンの前記複数の壁部のうち第３壁部にヒンジ式に結合されている、請求項１２に記載のカートン。
【請求項１４】
前記第１物品受容構造は、前記カートンの前記複数の壁部のうち前記第３壁部に前記第２パネルを固定するための固定パネルを備える、請求項１３に記載のカートン。
【請求項１５】
前記カートンは、第３パネル、第４パネル、及び前記第２パネルを前記第１パネルから離間させるための第２スペーサパネルを有する第２物品受容構造を備える、請求項１３に記載のカートン。
【請求項１６】
前記第３パネルは、前記カートンの前記複数の壁部のうち第２壁部に隣接するように、前記カートンの前記複数の壁部のうち前記第２壁部にヒンジ式に結合されている、請求項１５に記載のカートン。
【請求項１７】
前記第２物品受容構造は、前記カートンの前記複数の壁部のうち前記第２壁部に前記第２パネルを固定するための固定パネルを備える、請求項１６に記載のカートン。
【請求項１８】
前記カートンの前記複数の壁部のうち前記第２壁部は、前記カートンの前記複数の壁部のうち前記第１壁部の反対側に配置されている、請求項４又は１５に記載のカートン。
【請求項１９】
前記第３パネル及び前記固定タブは、互いに隣接して、前記カートンの前記複数の壁部のうち同じ壁部にヒンジ式に結合されている、請求項４又は１６に記載のカートン。
【請求項２０】
一つ以上の物品を梱包するためのカートンであって、
第１側壁；第２側壁；前壁；及び後壁を含む、管状構造体を形成するための複数の壁部と；
前記複数の壁部のうち第１壁部にヒンジ式に接続された、前記管状構造体の第１端を閉鎖するためのキャップであって、
前記第１端を閉鎖するための端部閉鎖パネル；
キャップ前壁；
第１キャップ側壁；及び
第２キャップ側壁；
を有し、
前記キャップ前壁、第１キャップ側壁、及び第２キャップ側壁は、前記複数の壁部のうち他の壁部の、前記第１端の近傍の部分を受容するように構成されている、キャップと；
前記第１側壁及び前記第２側壁の一方にヒンジ式に接続されたドアであって、前記キャップにより閉位置に保持可能であり、前記キャップにより開位置に保持可能であるドアと、
を備えるカートン。
【請求項２１】
前記キャップは、平坦に折り畳まれた形態へ折り畳み可能であるように構成されている、請求項２０に記載のカートン。
【請求項２２】
管状構造体を形成するための前記複数の壁部は、平坦に折り畳まれた形態へ折り畳み可能であるように構成されている、請求項２０に記載のカートン。
【請求項２３】
前記前壁は、前記ドアが少なくとも部分的に開いている場合にディスプレイ窓を提供するように、前記管状構造体の第１端と前記管状構造体の第２端との間で部分的に延在する、請求項１に記載のカートン。
【請求項２４】
前記ドアは、固定タブを備え、前記キャップは、前記キャップ及び前記ドアを閉鎖された状態で固定するためのキャップ固定配置を形成する固定タブ受容部を備える、請求項１に記載のカートン。
【請求項２５】
カートンを形成するためのブランクであって、
第１側壁パネル；第２側壁パネル；前壁パネル；及び後壁パネルを含む、管状構造体の壁部を形成するための複数の壁部パネルと；
前記管状構造体の第１端を閉鎖するためのキャップを形成するための複数のキャップパネルであって、
前記複数の壁部パネルのうち第１壁部パネルにヒンジ式に接続された、前記第１端を閉鎖するための端部閉鎖パネルと；
キャップ前壁パネルと；
第１キャップ側壁パネルと；
第２キャップ側壁パネルと；
を有し、
前記キャップ前壁パネル、第１キャップ側壁パネル、及び第２キャップ側壁パネルは、組み立てられた状態において、前記複数の壁部パネルのうち他の壁部パネルの、前記第１端の近傍の部分を受容するように構成されており、
前記複数のキャップパネルは、平坦に折り畳まれた形態へ折り畳み可能であるように構成されている、複数のキャップパネルと、
を備えるブランク。
【請求項２６】
カートンを形成するためのブランクであって、
第１側壁パネル；第２側壁パネル；前壁パネル；及び後壁パネルを含む、管状構造体を形成するための複数の壁部パネルと；
前記管状構造体の第１端を閉鎖するためのキャップを形成するための複数のキャップパネルであって、
前記複数の壁部パネルのうち第１壁部パネルにヒンジ式に接続された、前記第１端を閉鎖するための端部閉鎖パネル；
キャップ前壁パネル；
第１キャップ側壁パネル；及び
第２キャップ側壁パネル；
を有し、
前記キャップ前壁パネル、第１キャップ側壁パネル、及び第２キャップ側壁パネルは、組み立てられた状態において、前記複数の壁部パネルのうち他の壁部パネルの、前記第１端の近傍の部分を受容するように構成されている、複数のキャップパネルと；
前記第１側壁パネル及び前記第２側壁パネルの一方にヒンジ式に接続されるドアを形成するための少なくとも一つのパネルであって、立ち上げられたカートンにおいて、前記ドアは、前記キャップにより閉位置に保持可能であり、前記ドアは、前記キャップにより開位置に保持可能である、少なくとも一つのパネルと、
を備えるブランク。
【発明の詳細な説明】
【技術分野】
【０００１】
本発明は、カートン及び該カートンを形成するためのブランクに関するものであり、より具体的には、これに限定されるものではないが、再閉鎖可能な蓋を備えるカートンに関するものである。
【背景技術】
【０００２】
パッケージングの分野では、一つ以上の一次製品容器を備えるパッケージを消費者に提供することが必要となる場合が多い。このようなパッケージは、配送及び流通の目的のため、また販促情報を表示するために、望ましいものである。
【０００３】
コスト及び環境への配慮のために、このようなカートン又はキャリアは、できる限り少なく材料から形成する必要とともに、カートン又はキャリアが形成される材料において生じる廃棄物をできる限り少なくする必要がある。
【０００４】
その他の検討事項として、パッケージングの強度及び大重量の物品の保持及び輸送への適性がある。
【０００５】
再閉鎖可能な蓋を有する（すなわち、蓋が繰り返し開閉可能である）カートンを提供することが望ましい。カートンが容易に組み立てられ得ることがさらに望ましい。
【発明の概要】
【発明が解決しようとする課題】
【０００６】
本発明は、従来技術の上記課題を解消又は少なくとも軽減しようとするものである。
【課題を解決するための手段】
【０００７】
本発明の第１態様によると、一つ以上の物品を梱包するためのカートンが提供される。カートンは、管状構造体を形成するための、第１側壁；第２側壁；前壁；及び後壁を含む複数の壁部を備える。カートンは、管状構造体の第１端を閉鎖するためのキャップを備える。キャップは、複数の壁部のうち第１壁部にヒンジ式に接続され得る。キャップは、第１端を閉鎖するための端部閉鎖パネル、キャップ前壁、第１キャップ側壁、及び第２キャップ側壁を備え得る。キャップ前壁、第１キャップ側壁、及び第２キャップ側壁は、複数の壁部のうち他の壁部の、第１端の近傍の部分を受容するように構成され得る。キャップは、平坦に折り畳まれた形態へ折り畳み可能であるように構成され得る。
【０００８】
任意選択で、管状構造体を形成するための複数の壁部は、平坦に折り畳まれた形態へ折り畳み可能であるように構成される。
【０００９】
任意選択で、キャップは、キャップを建立状態（ｅｒｅｃｔｅｄ  ｃｏｎｄｉｔｉｏｎ）に固定するようにキャップの係止を行うように構成された、少なくとも一つの係止タブ及び少なくとも一つの係止タブ受容部を備える。
【００１０】
任意選択で、複数の壁部のうち第２壁部は、固定タブを備え、キャップは、キャップを閉鎖された状態に固定するためのキャップ固定配置を形成する固定タブ受容部を備える。
【００１１】
任意選択で、キャップは、第１キャップ内側側壁及び第２キャップ内側側壁を備え、第１キャップ内側側壁及び第２キャップ内側側壁の各々は、それぞれの受容部を少なくとも部分的に画定する切り取り部を備え、キャップは、上記受容部の各々に受容されるように配置された第１係止タブ及び第２係止タブを有する内側前壁を備える。
【００１２】
任意選択で、キャップは、端部閉鎖パネルに設けられた前壁係止タブ受容部に受容されるように配置された第１前壁係止タブを有する内側前壁を備える。
【００１３】
任意選択で、第１キャップ内側側壁及び第２キャップ内側側壁の各々は、側壁係止タブを備え、端部閉鎖パネルは、側壁係止タブの各々を受容するための第１側壁係止タブ受容部及び第２側壁係止タブ受容部を備える。
【００１４】
任意選択で、キャップは、第１側壁を前壁とヒンジ式に相互接続する第１ウェブパネル対を備える。
【００１５】
任意選択で、キャップは、第２側壁を前壁とヒンジ式に相互接続する第２ウェブパネル対を備える。
【００１６】
任意選択で、キャップは、第１側壁にヒンジ式に接続された第１側壁固定タブを備える。
【００１７】
任意選択で、キャップは、第２側壁にヒンジ式に接続された第２側壁固定タブを備える。
【００１８】
いくつかの実施形態では、カートンは、第１パネル、第２パネル、及び第２パネルを第１パネルから離間させるためのスペーサパネルを有する第１物品受容構造を備える。
【００１９】
任意選択で、第１パネルは、カートンの複数の壁部のうち第３壁部にヒンジ式に結合される。
【００２０】
任意選択で、物品受容構造は、カートンの複数の壁部のうち第３壁部に第２パネルを固定するための固定パネルを備える。
【００２１】
いくつかの実施形態では、カートンは、第３パネル、第４パネル、及び第２パネルを第１パネルから離間させるための第２スペーサパネルを有する第２物品受容構造を備える。
【００２２】
任意選択で、第３パネルは、カートンの複数の壁部のうち第２壁部に隣接するように、カートンの複数の壁部のうち第２壁部にヒンジ式に結合される。
【００２３】
任意選択で、第２物品受容構造は、カートンの複数の壁部のうち第２壁部に第２パネルを固定するための固定パネルを備える。
【００２４】
任意選択で、カートンの複数の壁部のうち第２壁部は、カートンの複数の壁部のうち第１壁部の反対側に配置される。
【００２５】
任意選択で、第３パネル及び固定タブは、互いに隣接して、カートンの複数の壁部のうち同じ壁部にヒンジ式に結合される。
【００２６】
本発明の第２態様によると、一つ以上の物品を梱包するためのカートンが提供される。カートンは、第１側壁；第２側壁；前壁；及び後壁を含む、管状構造体を形成するための複数の壁部を備える。キャップが、管状構造体の第１端を閉鎖するために設けられ得る。キャップは、複数の壁部のうち第１壁部にヒンジ式に接続され得る。キャップは、第１端を閉鎖するための端部閉鎖パネル；キャップ前壁；第１キャップ側壁；及び第２キャップ側壁を備え得る。キャップ前壁、第１キャップ側壁、及び第２キャップ側壁は、複数の壁部のうち他の壁部の、第１端の近傍の部分を受容するように構成され得る。カートンは、第１側壁及び第２側壁の一方にヒンジ式に接続されたドアを備え得る。ドアは、キャップにより閉位置に保持され得る。ドアは、キャップにより開位置に保持され得る。
【００２７】
任意選択で、キャップは、平坦に折り畳まれた形態へ折り畳み可能であるように構成される。
【００２８】
任意選択で、管状構造体を形成するための複数の壁部は、平坦に折り畳まれた形態へ折り畳み可能であるように構成される。
【００２９】
任意選択で、前壁は、ドアが少なくとも部分的に開いている場合にディスプレイ窓を提供ように、管状構造体の第１端と管状構造体の第２端との間で部分的に延在する。
【００３０】
任意選択で、ドアは、固定タブを備え、キャップは、キャップ及びドアを閉鎖された状態に固定するためのキャップ固定配置を形成する固定タブ受容部を備える。
【００３１】
本発明の第３態様によると、カートンを形成するためのブランクが提供される。ブランクは、第１側壁パネル；第２側壁パネル；前壁パネル；及び後壁パネルを含む、管状構造体の壁部を形成するための複数の壁部パネルを備える。ブランクは、管状構造体の第１端を閉鎖するためのキャップを形成するための複数のキャップパネルを備え得る。複数のキャップパネルは、複数の壁部パネルのうち第１壁部パネルにヒンジ式に接続された、第１端を閉鎖するための端部閉鎖パネル；キャップ前壁パネル；第１キャップ側壁パネル；及び第２キャップ側壁パネルを備え得る。組み立てられた状態において、キャップ前壁パネル、第１キャップ側壁パネル、及び第２キャップ側壁パネルは、複数の壁部パネルのうち他の壁部パネルの、第１端の近傍の部分を受容するように構成され得る。複数のキャップパネルは、平坦に折り畳まれた形態へ折り畳み可能であるように構成され得る。
【００３２】
本発明の第４態様によると、カートンを形成するためのブランクが提供される。ブランクは、第１側壁パネル；第２側壁パネル；前壁パネル；及び後壁パネルを含む、管状構造体の壁部を形成するための複数の壁部パネルを備える。ブランクは、管状構造体の第１端を閉鎖するためのキャップを形成するための複数のキャップパネルを備え得る。複数のキャップパネルは、複数の壁部パネルのうち第１壁部パネルにヒンジ式に接続された、第１端を閉鎖するための端部閉鎖パネル；キャップ前壁パネル；第１キャップ側壁パネル；及び第２キャップ側壁パネルを備え得る。組み立てられた状態において、キャップ前壁パネル、第１キャップ側壁パネル、及び第２キャップ側壁パネルは、複数の壁部パネルのうち他の壁部パネルの、第１端の近傍の部分を受容するように構成され得る。ブランクは、ドアを形成するための少なくとも一つのパネルを備え得る。ドアは、第１側壁パネル及び第２側壁パネルの一方にヒンジ式に接続され得る。立ち上げられたカートンにおいて、ドアは、キャップにより閉位置に保持され得る。ドアは、キャップにより開位置に保持され得る。
【００３３】
本出願の範囲内において、ここまでの説明、特許請求の範囲、並びに／又は以下の説明、及び図面において記載された様々な態様、実施形態、実施例、特徴、及び変形例は、独立したものとしてもよく、任意に組み合わせてもよいことが想定されている。例えば、一実施形態に関連して説明される特徴は、特徴が両立しない場合を除き、全実施形態に適用可能である。
【００３４】
以下、本発明の例示的な実施形態について、添付図面を参照して説明する。
【図面の簡単な説明】
【００３５】
【図１】本発明の一実施形態に係るカートンを形成するためのブランクを上から見た平面図である。
【図２ａ】図１のブランクを平坦に折り畳まれたカートンに組み立てる様子を図示する。
【図２ｂ】図１のブランクを平坦に折り畳まれたカートンに組み立てる様子を図示する。
【図２ｃ】図１のブランクを平坦に折り畳まれたカートンに組み立てる様子を図示する。
【図３ａ】図１のブランクを平坦に折り畳まれたカートンに組み立てる様子を図示する。
【図３ｂ】図１のブランクを平坦に折り畳まれたカートンに組み立てる様子を図示する。
【図３ｃ】図１のブランクを平坦に折り畳まれたカートンに組み立てる様子を図示する。
【図４】図１のブランクから形成されたカートンを上から見た斜視図である。
【図５】図４のカートンの端部閉鎖部の一部の内側斜視図である。
【図６】端部閉鎖部の内側に配置された相補的な係止機構を示す、図１のブランクから形成されたカートンを上から見た代替的な斜視図である。
【図７】本発明の別の実施形態に係るカートンを形成するためのブランクを上から見た平面図である。
【図８】開放状態における端部閉鎖部を示す、図７のブランクから形成されたカートンを上から見た斜視図である。
【図９】図７のカートンの端部閉鎖部の一部の内側斜視図である。
【図１０】本発明の別の実施形態に係るカートンを形成するためのブランクを上から見た平面図である。
【図１１】本発明のさらなる実施形態に係るカートンを形成するためのブランクを上から見た平面図である。
【図１２】部分的に開放された状態における端部閉鎖部及びアクセスゲートを示す、図１１のブランクから形成されたカートンを上から見た斜視図である。
【図１３】図１１のブランクの端部閉鎖部の組み立てを図示する。
【図１４】図１１のブランクの端部閉鎖部の組み立てを図示する。
【図１５】開放状態における端部閉鎖部を示す、図１１のブランクから形成されたカートンの一部を上から見た斜視図である。
【発明を実施するための形態】
【００３６】
本明細書において、パッケージ、ブランク、及びカートンの具体的な実施形態についての詳細な説明が開示される。開示される実施形態は、本発明の特定の態様が実行可能な単なる例示であり、本発明が具現化され得るあらゆる形態を一覧できるように網羅したものではないことが理解されよう。実際、本明細書で記載されるパッケージ、ブランク、及びカートンは、様々な代替的な形態で具現化され得ることが理解されよう。図面は、必ずしも正しい縮尺で描かれたものではなく、特定の構成要素を詳細に示すために、いくつかの特徴が強調されたり最小化されたりしている場合がある。本開示の内容が曖昧になるのを避けるために、周知の構成要素、材料、又は方法は、必ずしも子細には説明されない。本明細書に開示される任意の具体的な構造的及び機能的な詳細は、発明を限定するものとして解釈してはならず、単に特許請求の範囲を定めるための基礎として、及び当業者が本発明を様々な形で利用するための教示の代表的な基礎として解釈すべきものである。
【００３７】
図１を参照すると、一つ以上の一次製品、例えばボトルやカンなど（これらに限定されない。以下、物品という。）を梱包することが可能なカートン９０を形成するためのブランク１０が示されている。
【００３８】
ブランク１０は、一つずつ直列にヒンジ式に結合された複数のメインパネル１２、１４、１６、１８、２０を備える。ブランク１０の複数のメインパネル１２、１４、１６、１８、２０は、組み立てられた状態では管状構造体の壁部を形成する。ブランク１０は、第１壁部パネル１２を備え、第１壁部パネル１２は、図４に示されるように、カートン９０の後壁を形成する。第１壁部パネル１２は、折り曲げ線１３などのヒンジ接続部により第２壁部パネル１４にヒンジ式に結合される。第２壁部パネル１４は、図４に示されるように、カートン９０の第１側壁を形成する。第２壁部パネル１４は、折り曲げ線１５などのヒンジ接続部により第３壁部パネル１６にヒンジ式に結合される。第３壁部パネル１６は、図４に示されるように、カートン９０の前壁１６を形成する。第３壁部パネル１６は、折り曲げ線１７などのヒンジ接続部により第４壁部パネル１８にヒンジ式に結合される。第４壁部パネル１８は、図４に示されるように、カートン９０の第２側壁１８を形成する。第４壁部パネル１８は、折り曲げ線１９などのヒンジ接続部により固定パネル２０にヒンジ式に結合される。
【００３９】
管状構造体は、端部閉鎖構造により少なくとも部分的に閉鎖される。
【００４０】
管状構造体の第１端（上端）は、端部閉鎖パネル２２ａにより少なくとも部分的に閉鎖され、図示される実施形態では、以下でより詳細に説明される管状構造体の再閉鎖可能な端部閉鎖部の上壁パネルを形成する。
【００４１】
管状構造体の第２端（下端）は、複数の端部閉鎖パネル２２ｂ、２４ｂ、２６ｂ、２８ｂ、３０ｂ、３２ｂにより少なくとも部分的に閉鎖され、図示される実施形態では、管状構造体の底壁を形成する。
【００４２】
図示される実施形態では、管状構造体の第１端及び第２端はそれぞれ、端部閉鎖パネル２２ａ及び複数の下側端部閉鎖パネル２２ｂ、２４ｂ、２６ｂ、２８ｂ、３０ｂ、３２ｂにより完全に閉鎖される。複数の端部閉鎖パネル２２ｂ、２４ｂ、２６ｂ、２８ｂ、３０ｂ、３２ｂは、ブランク１０が建立されて図３ｃに示される平坦に折り畳まれた形態から管状構造体とされる際に自動的に建立される、複合底壁を形成する。
【００４３】
第１端部閉鎖パネル２２ａは、第１上部パネル２２ａを形成するとともに、折り曲げ線２３ａにより第１壁部パネル１２の第１端にヒンジ式に接続される。
【００４４】
第２端部閉鎖パネル２２ｂは、第１ベースパネル２２ｂを形成するとともに、折り曲げ線２３ｂにより第１壁部パネル１２の第２端にヒンジ式に接続される。第１固定タブ３０ｂは、折り曲げ線３１ｂにより第２端部閉鎖パネル２２ｂにヒンジ式に接続される。
【００４５】
第３端部閉鎖パネル２４ｂは、第２ベースパネル２４ｂを形成するとともに、折り曲げ線２５ｂにより第２壁部パネル１４の第２端にヒンジ式に接続される。
【００４６】
第４端部閉鎖パネル２６ｂは、第３ベースパネル２６ｂを形成するとともに、折り曲げ線２７ｂにより第３壁部パネル１６の第２端にヒンジ式に接続される。第２固定タブ３２ｂは、折り曲げ線３３ｂにより第４端部閉鎖パネル２６ｂにヒンジ式に接続される。
【００４７】
第５端部閉鎖パネル２８ｂは、第４ベースパネル２８ｂを形成するとともに、折り曲げ線２９ｂにより第４壁部パネル１８の第２端にヒンジ式に接続される。
【００４８】
ブランク１０は、再閉鎖可能な端部閉鎖部Ｃの形態のキャップを備える。再閉鎖可能な端部閉鎖部Ｃは、第１端部閉鎖パネル２２ａを備える。再閉鎖可能な端部閉鎖部Ｃは、再閉鎖可能な端部閉鎖部Ｃの側壁及び前壁を形成する複数のパネルを備える。再閉鎖可能な端部閉鎖部Ｃは、折り曲げ線３９ａの形態のヒンジ接続部により第１端部閉鎖パネル２２ａの第１側にヒンジ式に結合された、第１側壁３８ａを備える。再閉鎖可能な端部閉鎖部Ｃは、折り曲げ線３９ｂの形態のヒンジ接続部により第１端部閉鎖パネル２２ａの第２側にヒンジ式に結合された、第２側壁３８ｂを備える。再閉鎖可能な端部閉鎖部Ｃは、折り曲げ線４１ａの形態のヒンジ接続部により第１側壁３８ａにヒンジ式に結合された第１内側側壁４０ａを備える。再閉鎖可能な端部閉鎖部Ｃは、折り曲げ線４１ｂの形態のヒンジ接続部により第２側壁３８ｂにヒンジ式に結合された第２内側側壁４０ｂを備える。
【００４９】
前壁３４は、折り曲げ線３５により第１端部閉鎖パネル２２ａにヒンジ式に接続される。内側前壁３６は、折り曲げ線３７により前壁３４にヒンジ式に接続される。
【００５０】
第１ウェブパネル対４２ａ、４４ａは、第１側壁３８ａと前壁３４とを相互接続する。第１ウェブパネル４２ａは、折り曲げ線４３ａにより第１側壁３８ａにヒンジ式に接続される。第２ウェブパネル４４ａは、折り曲げ線４５ａにより第１ウェブパネル４２ａにヒンジ式に接続される。第２ウェブパネル４４ａは、折り曲げ線４７ａにより前壁３４の第１サイドエッジにヒンジ式に接続される。
【００５１】
第２ウェブパネル対４２ｂ、４４ｂは、第２側壁３８ｂと前壁３４とを相互接続する。第３ウェブパネル４２ｂは、折り曲げ線４３ｂにより第２側壁３８ｂにヒンジ式に接続される。第４ウェブパネル４４ｂは、折り曲げ線４５ｂにより第３ウェブパネル４２ｂにヒンジ式に接続される。第４ウェブパネル４４ｂは、折り曲げ線４７ｂにより前壁３４の第２サイドエッジにヒンジ式に接続される。
【００５２】
第１内側側壁４０ａは、第１切り取り部Ｒ１の形態の受容部を備える。第２内側側壁４０ｂは、第２切り取り部Ｒ２の形態の受容部を備える。内側前壁３６は、第３切り取り部Ｒ３の形態の受容部を備える。
【００５３】
第１係止タブ４６ａは、折り曲げ線４９ａにより内側前壁３６の第１サイドエッジにヒンジ式に接続される。第１係止タブ４６ａは、第１切り取り部Ｒ１に対して相補的な形状である。第１係止タブ４６ａ及び第１切り取り部Ｒ１は、建立状態において、再閉鎖可能な端部閉鎖部を固定するための第１固定配置を形成する。
【００５４】
第２係止タブ４６ｂは、折り曲げ線４９ｂにより内側前壁３６の第２サイドエッジにヒンジ式に接続される。第２係止タブ４６ｂは、第２切り取り部Ｒ２に対して相補的な形状である。第２係止タブ４６ｂ及び第２切り取り部Ｒ２は、建立状態において、再閉鎖可能な端部閉鎖部を固定するための第２固定配置を形成する。
【００５５】
ブランクは、折り曲げ線５１の形態のヒンジ接続部により第３壁部パネル１６にヒンジ式に結合された固定タブ５０を備える。固定タブ５０は、第３切り取り部Ｒ３に対して相補的な形状である。
【００５６】
固定タブ５０及び第３切り取り部Ｒ３は、閉鎖された状態において、再閉鎖可能な端部閉鎖部を係止するための係止配置を形成する。
【００５７】
任意選択で、ブランクは、物品受容構造Ｎを備える。物品受容構造Ｎは、折り曲げ線５３により第４壁部パネル１８にヒンジ式に接続された上側パネル５２を備える。物品受容構造Ｎは、折り曲げ線５５により上側パネル５２にヒンジ式に接続されたスペーサパネル５４を備える。物品受容構造Ｎは、折り曲げ線５７によりスペーサパネル５４にヒンジ式に接続された下側パネル５６を備える。物品受容構造Ｎは、折り曲げ線５９により下側パネル５６にヒンジ式に接続された固定パネル５８を備える。
【００５８】
任意選択で、上側パネル５２は、第１開口部Ａ１を備える。任意選択で、下側パネル５６は、第２開口部Ａ２を備える。
【００５９】
第１開口部Ａ１は、物品の少なくとも一部、例えば梱包されている物品の端部閉鎖部（これに限定されない）などを見せるための目視窓を提供することができる。
【００６０】
第２開口部Ａ２は、物品の少なくとも一部、例えば梱包されている物品のネック部（これに限定されない）などを受容することができる。第２開口部Ａ２は、第１開口部Ａ１よりも大きな寸法であってもよい。
【００６１】
物品受容構造Ｎは、カートン９０の内部で、物品、特に物品の上部が動くのを妨げ又は抑止するように、梱包されている物品（複数可）の上部を支持することができる。
【００６２】
物品受容構造Ｎは、ブランドその他の印章用の領域を提供するための表示特徴部を提供することができる。物品受容構造Ｎは、消費者の注意を梱包されている物品の一部に設けられたブランド表示に集めるために用いられ得る。
【００６３】
物品受容構造Ｎは、第１壁部パネル１２と第３壁部パネル１６との間、及び第２壁部パネル１４と第４壁部パネル１８との間に支え構造を形成するように、カートン９０のうち上端の近傍の部分の構造的一体性を向上させることができる。このようにして、カートン９０の上端部分の剛性が向上する。これにより、例えば、これに限定されないが、内側前壁パネル３６に対して第３壁部パネル１６が内側に曲がるなど動いてしまうことにより係止配置が意図せず外れてしまう可能性を防止又は低減することにより、第３切り取り部Ｒ３及び固定タブ５０により形成された係止配置の固定性を増加させることができる。
【００６４】
ブランク１０は、カートン９０を回転させたり反転させたりする必要なくカートン９０の組み上げを完成させることができるように、直線ライン機械での一連の逐次折り曲げ操作により、図３ｃに示されるように、平坦に折り畳まれたカートンへ形成され得る。折り曲げプロセスは以下に記載されるものに限定されず、製造上の個別の必要性に従って修正されてよい。
【００６５】
図２ａ〜図４に図示されるようなカートン９０の組み上げについては、接着剤Ｇその他の接着処理が第４壁部パネル１８の内面の一部に適用される（図２ａ参照）。接着剤Ｇは、ブランクが折り曲げ線５５について折り曲げられた場合に固定パネル５８の下に位置する領域に適用される。あるいは、接着剤Ｇその他の接着処理は、固定パネル５８の内面に適用されてもよい。ブランク１０は、下側パネル５６が、上側パネル５２、スペーサパネル５４、及び第４壁部パネル１８の一部の上に位置する関係で配置されるように、折り曲げ線５５について（方向矢印Ｄ１で示すように）折り曲げられる。固定パネル５８は、第４壁部パネル１８の上に位置する関係とされる。固定パネル５８は、第４壁部パネル１８に固定される。
【００６６】
接着剤Ｇその他の接着処理は、図２ｂに示されるように、第１側壁３８ａの内面に適用される。接着剤Ｇその他の接着処理は、図２ｂに示されるように、第２側壁３８ｂの内面に適用される。
【００６７】
第１内側側壁４０ａは、図２ｃにおいて方向矢印Ｄ２で示すように、第１側壁３８ａの上に位置するように折り曲げ線４１ａについて折り曲げられる。第１内側側壁４０ａは、第１側壁３８ａに固定される。
【００６８】
第２内側側壁４０ｂは、図２ｃにおいて方向矢印Ｄ３で示すように、第２側壁３８ｂの上に位置するように折り曲げ線４１ｂについて折り曲げられる。第２内側側壁４０ｂは、第２側壁３８ｂに固定される。
【００６９】
第２端部閉鎖パネル２２ｂは、図３ａにおいて方向矢印Ｄ４で示すように、第１壁部パネル１２の上に位置するように折り曲げ線２３ｂについて折り曲げられ、その結果、第１固定タブ３０ｂも第１壁部パネル１２の上に位置することになる。第３端部閉鎖パネル２４ｂは、第２壁部パネル１４の上に位置するように折り曲げ線２５ｂについて折り曲げられる。第４端部閉鎖パネル２６ｂは、第３壁部パネル１６の上に位置するように折り曲げ線２７ｂについて折り曲げられ、その結果、第２固定タブ３２ｂも第３壁部パネル１６の上に位置することになる。第５端部閉鎖パネル２８ｂは、第４壁部パネル１８の上に位置するように折り曲げ線２９ｂについて折り曲げられる。
【００７０】
接着剤Ｇその他の接着処理は、第３端部閉鎖パネル２４ｂの外面に適用される。あるいは、接着剤Ｇその他の接着処理は、第２端部閉鎖パネル２２ｂの内面の対応する部分に適用されてもよい。接着剤Ｇその他の接着処理は、第５端部閉鎖パネル２８ｂの外面に適用される。あるいは、接着剤Ｇその他の接着処理は、第４端部閉鎖パネル２６ｂの内面の対応する部分に適用されてもよい。
【００７１】
ブランク１０は、第４壁部パネル１８が、第３壁部パネル１６の上に位置する関係で配置され、固定パネル２０が、第２壁部パネル１４の上に位置する関係で配置されるように、図３ｂにおいて方向矢印Ｄ５で示すように、折り曲げ線１７について折り曲げられる。
【００７２】
接着剤Ｇその他の接着処理は、固定パネル２０の外面に適用される。あるいは、接着剤Ｇその他の接着処理は、第１壁部パネル１２の内面の対応する部分に適用されてもよい。
【００７３】
ブランク１０は、第１壁部パネル１２が、第２壁部パネル１４及び固定パネル２０の上に位置する関係で配置されるように、図３ｃにおいて方向矢印Ｄ６で示すように、折り曲げ線１３について折り曲げられる。第１壁部パネル１２は、固定パネル２０に固定される。
【００７４】
このようにして、ブランク１０は、折り畳まれた平坦な管状構造体へ形成され、この折り畳まれた平坦な管状構造体は、当該折り畳まれた平坦な管状構造体が管状構造体へ建立されて物品を充填され得る変形工場に、容易に配送又は流通させることができる。
【００７５】
折り畳まれた平坦な管状構造体は、第１壁部パネル１２が第３側部パネル１６から離間するように第３壁部パネル１６に対して第１壁部パネル１２を動かし又は並進させることにより、管状構造体の形に建立され得る。いくつかの実施形態では、これは、壁部パネル１２、１４、１６、１８のうち一つを、隣接する壁部パネル１２、１４、１６、１８のうち一つに対して展開する（ｕｎｆｏｌｄｉｎｇ）ことにより実現され得る。例えば、第１壁部パネル１２は、第２壁部パネル１４に対して、折り曲げ線１３について展開され得る。
【００７６】
折り畳まれた平坦な管状構造体が管状の形態へ建立されると、第２端部閉鎖パネル２２ｂ、第３端部閉鎖パネル２４ｂ、第４端部閉鎖パネル２６ｂ、及び第５端部閉鎖パネル２８ｂはともに、折り畳まれた平坦な管状構造体が建立される際に自動的に建立される複合ベースパネルを形成する。ブランク１０は、接着剤その他の接着処理の適用の必要なしに、変形工場において建立可能であり、組み立てが完了する。
【００７７】
再閉鎖可能な端部閉鎖部Ｃは、第１端部閉鎖パネル２２ａに実質的に垂直となるように、折り曲げ線３９ａについて第１側壁３８ａを、ひいては同時に第１内側側壁４０ａを折り曲げることにより建立され得る。第１ウェブパネル対４２ａ、４４ａは、第２ウェブパネル４４ａが折り曲げ線４７ａについて折り曲げられるように折り曲げられる。
【００７８】
第２側壁３８ｂ、ひいては同時に第２内側側壁４０ｂも、第１端部閉鎖パネル２２ａに実質的に垂直となるように、折り曲げ線３９ｂについて折り曲げられる。第２ウェブパネル対４２ｂ、４４ｂは、第４ウェブパネル４４ｂが折り曲げ線４７ｂについて折り曲げられるように折り曲げられる。
【００７９】
前壁３４は、折り曲げ線３５について折り曲げられる。その際、第１ウェブパネル４２ａは、第１側壁３８ａ及び第２ウェブパネル４４ａの各々に対して、それぞれ折り曲げ線４３ａ、４５ａについて折り曲げられる。同時に、第３ウェブパネル４２ｂは、第２側壁３８ｂ及び第４ウェブパネル４４ｂの各々に対して、それぞれ折り曲げ線４３ｂ、４５ｂについて折り曲げられる。
【００８０】
第２ウェブパネル４４ａ及び第４ウェブパネル４４ｂの各々は、前壁３４と面で接する関係とされる。第１ウェブパネル４２ａは、第２ウェブパネル４４ａと面で接する関係とされる。第３ウェブパネル４２ｂは、第４ウェブパネル４４ｂと面で接する関係とされる。
【００８１】
内側前壁３６は、第１ウェブパネル４２ａ及び第３ウェブパネル４２ｂの各々と面で接する関係となるように、折り曲げ線３７について折り曲げられる。
【００８２】
内側前壁３６がそれぞれ折り曲げ線４１ａ、４１ｂにより画定される第１側壁３８ａ及び第２側壁３８ｂのエッジを通る際に、第１係止タブ４６ａ及び第２係止タブ４６ｂは、折り曲げ線４９ａ、４９ｂの各々について折り曲げられる。
【００８３】
内側前壁３６が第１ウェブパネル４２ａ及び第３ウェブパネル４２ｂの各々と面で接する関係とされる際に、第１係止タブ４６ａ及び第２係止タブ４６ｂは、第１切り取り部Ｒ１及び第２切り取り部Ｒ２の各々に受容される。
【００８４】
図５に示されるように、第１係止タブ４６ａは、第１切り取り部Ｒ１とかみ合い、第２係止タブ４６ｂは、第２切り取り部Ｒ２とかみ合う。このようにして、再閉鎖可能な端部閉鎖部Ｃは、建立状態で固定される。
【００８５】
物品又は物品の各々に対するカートン９０の相対移動により、カートン９０には、開放端を通して一つ以上の物品が充填され得る。
【００８６】
カートン９０に物品（複数可）が充填されると、カートン９０の開放端は閉鎖される。
【００８７】
いくつかの実施形態では物品ネック受容構造Ｎが設けられる。物品ネック受容構造Ｎは、物品が挿入された後、建立される。物品ネック受容構造Ｎは、折り曲げ線５３について上側パネル５２を折り曲げることにより建立される。その際、下側パネル５６は、折り曲げ線５９について折り曲げられ、スペーサパネル５４は、図４に示されるように上側パネル５２及び下側パネル５６の各々に対して実質的に垂直となるように、折り曲げ線５５、５７について折り曲げられる。下側パネル５６は、開口部Ａ２内の物品の一部（例えばネック部。ただしこれに限定されない。）を受容することができる。
【００８８】
物品の上端は、上側パネル５２の開口部Ａ１を通して見えるように露出し得る。
【００８９】
再閉鎖可能な端部閉鎖部Ｃは、折り曲げ線２３ａについて第１端部閉鎖パネル２２ａを折り曲げることにより閉鎖され得る。第２壁部パネル１４、第３壁部パネル１６、及び第４壁部パネル１８の上端部分は、再閉鎖可能な端部閉鎖部Ｃにおいて受容される。
【００９０】
固定タブ５０は、再閉鎖可能な端部閉鎖部Ｃが閉鎖される際に、折り曲げ線５１について折り曲げられる。固定タブ５０は、図６に示されるように、再閉鎖可能な端部閉鎖部Ｃを閉鎖状態で固定又は保持するように、第３切り取り部Ｒ３に受容される。
【００９１】
図６は、組み立てられたカートン９０がパッケージを形成する様子を図示する。
【００９２】
次いで、図７、図８、及び図９を参照すると、本開示の追加の実施形態が示されている。図示される第２実施形態では、可能な場合には、同様の部分を表すために、同様の符号が使用されている。ただし、これらの特徴が第２実施形態に属することを示すために、頭に「２００」が追加されている。図示される第２実施形態では、これらの特徴が第２実施形態に属することを示すように、可能な場合には、同様の部分を表すために同様の参照が使用されている。追加の実施形態は、第１実施形態との間で多くの共通する特徴を共有するので、図１〜図６に図示された実施形態との相違点のみを詳細に説明する。
【００９３】
図７を参照すると、一つ以上の一次製品を梱包することが可能なカートン２９０を形成するためのブランク２１０が示されている。
【００９４】
ブランク２１０は、一つずつ直列にヒンジヒンジ式に結合された複数のメインパネル２１２、２１４、２１６、２１８、２２０を備える。ブランク２１０の複数のメインパネル２１２、２１４、２１６、２１８、２２０は、組み立てられた状態では管状構造体の壁部を形成する。ブランク２１０は、第１壁部パネル２１２を備え、第１壁部パネル２１２は、図８に示されるカートン２９０の後壁を形成する。第１壁部パネル２１２は、折り曲げ線２１３などのヒンジ接続部により第２壁部パネル２１４にヒンジ式に結合される。第２壁部パネル２１４は、図８に示されるカートン２９０の第１側壁を形成する。第２壁部パネル２１４は、折り曲げ線２１５などのヒンジ接続部により第３壁部パネル２１６にヒンジ式に結合される。第３壁部パネル２１６は、図８に示されるカートン２９０の前壁２１６を形成する。第３壁部パネル２１６は、折り曲げ線２１７などのヒンジ接続部により第４壁部パネル２１８にヒンジ式に結合される。第４壁部パネル２１８は、図８に示されるカートン２９０の第２側壁２１８を形成する。第４壁部パネル２１８は、折り曲げ線２１９などのヒンジ接続部により固定パネル２２０にヒンジ式に結合される。
【００９５】
管状構造体は、端部閉鎖構造により少なくとも部分的に閉鎖される。
【００９６】
管状構造体の第１端（上側端）は、端部閉鎖パネル２２２ａにより少なくとも部分的に閉鎖され、図示される実施形態では、以下でより詳細に説明される管状構造体の再閉鎖可能な端部閉鎖部Ｃの上壁を形成する。
【００９７】
管状構造体の第２端（下側端）は、複数の端部閉鎖パネル２２２ｂ、２２４ｂ、２２６ｂ、２２８ｂにより少なくとも部分的に閉鎖され、図示される実施形態では、管状構造体の底壁を形成する。
【００９８】
図示される実施形態では、管状構造体の第１端及び第２端はそれぞれ、端部閉鎖パネル２２２ａ及び複数の下側端部閉鎖パネル２２２ｂ、２２４ｂ、２２６ｂ、２２８ｂにより完全に閉鎖される。複数の端部閉鎖パネル２２２ｂ、２２４ｂ、２２６ｂ、２２８ｂは、ブランク２１０が図８に示された平坦に折り畳まれた形態から管状構造体へ建立される際に建立可能な複合底壁を形成する。複合底壁は、非接着固定されてもよい。すなわち、接着剤その他の接着手段を必要とせずに複合底壁を所定位置に固定してもよい。
【００９９】
第１端部閉鎖パネル２２２ａは、第１上部パネル２２２ａを形成するとともに、折り曲げ線２２３ａにより第１壁部パネル２１２の第１端にヒンジ式に接続される。
【０１００】
第２端部閉鎖パネル２２２ｂは、第１ベースパネル２２２ｂを形成するとともに、折り曲げ線２２３ｂにより第１壁部パネル２１２の第２端にヒンジ式に接続される。第２端部閉鎖パネル２２２ｂは、略三角形の形状である。第１固定タブ２３０ａは、折り曲げ線２３１ａにより第２端部閉鎖パネル２２２ｂにヒンジ式に接続される。第２固定タブ２３０ｂは、折り曲げ線２３１ｂにより第２端部閉鎖パネル２２２ｂにヒンジ式に接続される。
【０１０１】
第３端部閉鎖パネル２２４ｂは、第２ベースパネル２２４ｂを形成するとともに、折り曲げ線２２５ｂにより第２壁部パネル２１４の第２端にヒンジ式に接続される。
【０１０２】
第４端部閉鎖パネル２２６ｂは、第３ベースパネル２２６ｂを形成するとともに、折り曲げ線２２７ｂにより第３壁部パネル２１６の第２端にヒンジ式に接続される。第４端部閉鎖パネル２２６ｂは、その端縁から打ち抜かれた切り取り部を備える。切り取り部は、略長方形の形状である。
【０１０３】
第５端部閉鎖パネル２２８ｂは、第４ベースパネル２２８ｂを形成するとともに、折り曲げ線２２９ｂにより第４壁部パネル２１８の第２端にヒンジ式に接続される。
【０１０４】
「Ｖ」字型の切り取り部が、第４端部閉鎖パネル２２６ｂに隣接する第３端部閉鎖パネル２２４ｂのサイドエッジから打ち抜かれる。「Ｖ」字型の切り取り部が、第４端部閉鎖パネル２２６ｂに隣接する第５端部閉鎖パネル２２８ｂのサイドエッジから打ち抜かれる。
【０１０５】
折り曲げ線２２７ｂについて第４端部閉鎖パネル２２６ｂを折り曲げた後、折り曲げ線２２５ｂ、２２９ｂについてそれぞれ第３端部閉鎖パネル２２４ｂ及び第５端部閉鎖パネル２２８ｂを折り曲げることにより、カートン２９０が管状の形態へ建立されると、複合底壁が組み立てられ得る。次いで、第１固定タブ２３０ａ及び第２固定タブ２３０ｂが第４端部閉鎖パネル２２６ｂの切り取り部を通過するように、第２端部閉鎖パネル２２２ｂが折り曲げ線２２３ｂについて折り曲げられる。その際、複合底壁は、接着剤その他の接着処理の必要なしに、ともに係止される。
【０１０６】
ブランク２１０は、再閉鎖可能な端部閉鎖部Ｃの形態のキャップを備える。再閉鎖可能な端部閉鎖部Ｃは、第１端部閉鎖パネル２２２ａを備える。再閉鎖可能な端部閉鎖部Ｃは、再閉鎖可能な端部閉鎖部Ｃの側壁及び前壁を形成する複数のパネルを備える。再閉鎖可能な端部閉鎖部Ｃは、折り曲げ線２３９ａの形態のヒンジ接続部により第１端部閉鎖パネル２２２ａの第１側にヒンジ式に結合された第１側壁２３８ａを備える。再閉鎖可能な端部閉鎖部Ｃは、折り曲げ線２３９ｂの形態のヒンジ接続部により第１端部閉鎖パネル２２２ａの第２側にヒンジ式に結合された第２側壁２３８ｂを備える。再閉鎖可能な端部閉鎖部Ｃは、折り曲げ線２４１ａの形態のヒンジ接続部により第１側壁２３８ａにヒンジ式に結合された第１内側側壁２４０ａを備える。再閉鎖可能な端部閉鎖部Ｃは、折り曲げ線２４１ｂの形態のヒンジ接続部により第２側壁２３８ｂにヒンジ式に結合された第２内側側壁２４０ｂを備える。
【０１０７】
前壁２３４は、折り曲げ線２３５により第１端部閉鎖パネル２２２ａにヒンジ式に接続される。内側前壁２３６は、折り曲げ線２３７により前壁２３４にヒンジ式に接続される。
【０１０８】
第１ウェブパネル対２４２ａ、２４４ａは、第１側壁２３８ａと前壁２３４とを相互接続する。第１ウェブパネル２４２ａは、折り曲げ線２４３ａにより第１側壁２３８ａにヒンジ式に接続される。第２ウェブパネル２４４ａは、折り曲げ線２４５ａにより第１ウェブパネル２４２ａにヒンジ式に接続される。第２ウェブパネル２４４ａは、折り曲げ線２４７ａにより前壁２３４の第１サイドエッジにヒンジ式に接続される。
【０１０９】
第２ウェブパネル対２４２ｂ、２４４ｂは、第２側壁２３８ｂと前壁２３４とを相互接続する。第３ウェブパネル２４２ｂは、折り曲げ線２４３ｂにより第２側壁２３８ｂにヒンジ式に接続される。第４ウェブパネル２４４ｂは、折り曲げ線２４５ｂにより第３ウェブパネル２４２ｂにヒンジ式に接続される。第４ウェブパネル２４４ｂは、折り曲げ線２４７ｂにより前壁２３４の第２サイドエッジにヒンジ式に接続される。
【０１１０】
図８の実施形態では、上述の実施形態の第１切り取り部Ｒ１及び第２切り取り部Ｒ２は省略されている。
【０１１１】
内側前壁２３６は、その端縁から打ち抜かれた第３切り取り部Ｒ３の形態の受容部を備える。内側前壁２３６は、内側前壁２３６の端縁から延在する係止タブＴ１を形成するための突出部を備える。係止タブＴ１は、第３切り取り部Ｒ３に隣接して配置される。
【０１１２】
係止タブ受容開口部Ａ２は、折り曲げ線２３５に隣接するように、また任意選択で折り曲げ線２３５を遮るように、第１端部閉鎖パネル２２２ａから打ち抜かれる。
【０１１３】
係止タブ受容開口部Ａ２は、係止タブＴ１に対して相補的な形状である。係止タブＴ１及び係止タブ受容開口部Ａ２は、再閉鎖可能な端部閉鎖部Ｃを建立状態で固定するための第１固定配置を形成する。
【０１１４】
任意選択で、ブランク２１０は、物品ネック受容構造Ｎ１／Ｎ２を備える。物品ネック受容構造Ｎ１／Ｎ２は、第４壁部パネル２１８にヒンジ式に結合された第１部分Ｎ１及び第３壁部パネル２１６にヒンジ式に結合された第２部分Ｎ２を備える。物品ネック受容構造Ｎ１／Ｎ２の第１部分Ｎ１は、折り曲げ線２５３ａにより第４壁部パネル２１８にヒンジ式に接続された第１上側パネル２５２ａを備える。物品ネック受容構造Ｎ１／Ｎ２の第１部分Ｎ１は、折り曲げ線２５５ａにより第１上側パネル２５２ａにヒンジ式に接続された第１スペーサパネル２５４ａを備える。物品ネック受容構造Ｎ１／Ｎ２の第１部分Ｎ１は、折り曲げ線２５７ａにより第１スペーサパネル２５４ａにヒンジ式に接続された第１下側パネル２５６ａを備える。物品ネック受容構造Ｎ１／Ｎ２の第１部分Ｎ１は、折り曲げ線２５９ａにより第１下側パネル２５６ａにヒンジ式に接続された第１固定パネル２５８ａを備える。
【０１１５】
物品ネック受容構造Ｎ１／Ｎ２の第２部分Ｎ２は、折り曲げ線２５３ｂにより第３壁部パネル２１６にヒンジ式に接続された第２上側パネル２５２ｂを備える。物品ネック受容構造Ｎ１／Ｎ２の第２部分Ｎ２は、折り曲げ線２５５ｂにより第２上側パネル２５２ｂにヒンジ式に接続された第２スペーサパネル２５４ｂを備える。物品ネック受容構造Ｎ１／Ｎ２の第２部分Ｎ２は、折り曲げ線２５７ｂにより第２スペーサパネル２５４ｂにヒンジ式に接続された第２下側パネル２５６ｂを備える。物品ネック受容構造Ｎ１／Ｎ２の第２部分Ｎ２は、折り曲げ線２５９ｂにより第２下側パネル２５６ｂにヒンジ式に接続された第２固定パネル２５８ｂを備える。
【０１１６】
任意選択で、第１開口部Ａ１が、第１上側パネル２５２ａ、第１スペーサパネル２５４ａ、及び第１下側パネル２５６ａから打ち抜かれる。物品ネック受容構造Ｎ１／Ｎ２の第１部分Ｎ１が建立されると、第１開口部Ａ１は、第１上側パネル２５２ａ、第１スペーサパネル２５４ａ、及び第１下側パネル２５６ａの各々において切り取り部を画定する。
【０１１７】
任意選択で、第２上側パネル２５２ｂは、そのサイドエッジから打ち抜かれた第１リセスＲ４を備える。
【０１１８】
任意選択で、第２下側パネル２５６ｂは、そのサイドエッジから打ち抜かれた第２リセスＲ５を備える。
【０１１９】
第１開口部Ａ１並びに第１リセスＲ４及び第２リセスＲ４、Ｒ５は、ともに、物品の少なくとも一部、例えば梱包されている物品の端部閉鎖部（これに限定されない）などを見せるための目視窓を提供することができる。
【０１２０】
第１開口部Ａ１及び第２リセスＲ５は、ともに、物品の少なくとも一部、例えば梱包されている物品のネック部（これに限定されない）などを受容することができる。
【０１２１】
物品ネック受容構造Ｎ１／Ｎ２は、カートン２９０の内部で、物品、特に物品の上部が動くのを妨げ又は抑止するように、梱包されている物品（複数可）の上部を支持することができる。
【０１２２】
物品ネック受容構造Ｎ１／Ｎ２は、ブランドその他の印章用の領域を提供するための表示特徴部を提供することができる。物品ネック受容構造Ｎ１／Ｎ２は、消費者の注意を梱包されている物品の一部に設けられたブランド表示に集めるために用いられ得る。
【０１２３】
物品ネック受容構造Ｎ１／Ｎ２は、第１壁部パネル２１２と第３壁部パネル２１６との間、及び第２壁部パネル２１４と第４壁部パネル２１８との間に支え構造を形成するように、カートン２９０のうち上端の近傍の部分の構造的一体性を向上させることができる。このようにして、カートン２９０の上端部分の剛性が向上する。
【０１２４】
図８は、組み立てられたカートン２９０がパッケージを形成する様子を図示し、図９は、再閉鎖可能な端部閉鎖部Ｃの拡大図である。係止タブＴ１は、再閉鎖可能な端部閉鎖部Ｃを建立状態で固定又は保持するように、係止タブ受容開口部Ａ２に受容される。
【０１２５】
次いで、図１０を参照すると、本開示の追加の実施形態が示されている。図示される第３実施形態では、可能な場合には、同様の部分を表すために、同様の符号が使用されている。ただし、これらの特徴が第３実施形態に属することを示すために、頭に「３００」が追加されている。図示される第３実施形態では、これらの特徴が第３実施形態に属することを示すように、可能な場合には、同様の部分を表すために同様の参照が使用されている。追加の実施形態は、第１実施形態及び第２実施形態との間で多くの共通する特徴を共有するので、図１〜図９に図示され実施形態との相違点のみを詳細に説明する。
【０１２６】
図１０を参照すると、一つ以上の一次製品を梱包することが可能なカートンを形成するためのブランク３１０が示されている。
【０１２７】
ブランク３１０は、一つずつ直列にヒンジ式に結合された複数のメインパネル３１２、３１４、３１６、３１８、３２０を備える。ブランク３１０の複数のメインパネル３１２、３１４、３１６、３１８、３２０は、組み立てられた状態では管状構造体の壁部を形成する。ブランク３１０は、第１壁部パネル３１２を備え、第１壁部パネル３１２は、カートンの後壁を形成する。第１壁部パネル３１２は、折り曲げ線３１３などのヒンジ接続部により第２壁部パネル３１４にヒンジ式に結合される。第２壁部パネル３１４は、カートンの第１側壁を形成する。第２壁部パネル３１４は、折り曲げ線３１５などのヒンジ接続部により第３壁部パネル３１６にヒンジ式に結合される。第３壁部パネル３１６は、カートンの前壁３１６を形成する。第３壁部パネル３１６は、折り曲げ線３１７などのヒンジ接続部により第４壁部パネル３１８にヒンジ式に結合される。第４壁部パネル３１８は、カートンの第２側壁３１８を形成する。第４壁部パネル３１８は、折り曲げ線３１９などのヒンジ接続部により固定パネル３２０にヒンジ式に結合される。
【０１２８】
管状構造体は、端部閉鎖構造により少なくとも部分的に閉鎖される。
【０１２９】
第１端部閉鎖パネル３２２ａは、第１上部パネル３２２ａを形成するとともに、折り曲げ線３２３ａにより第１壁部パネル３１２の第１端にヒンジ式に接続される。
【０１３０】
ブランク３１０は、再閉鎖可能な端部閉鎖部Ｃの形態のキャップを備える。再閉鎖可能な端部閉鎖部Ｃは、第１端部閉鎖パネル３２２ａを備える。再閉鎖可能な端部閉鎖部Ｃは、再閉鎖可能な端部閉鎖部Ｃの側壁及び前壁を形成する複数のパネルを備える。再閉鎖可能な端部閉鎖部Ｃは、折り曲げ線３３９ａの形態のヒンジ接続部により第１端部閉鎖パネル３２２ａの第１側にヒンジ式に結合された第１側壁３３８ａを備える。再閉鎖可能な端部閉鎖部Ｃは、折り曲げ線３３９ｂの形態のヒンジ接続部により第１端部閉鎖パネル３２２ａの第２側にヒンジ式に結合された第２側壁３３８ｂを備える。再閉鎖可能な端部閉鎖部Ｃは、折り曲げ線３４１ａの形態のヒンジ接続部により第１側壁３３８ａにヒンジ式に結合された第１内側側壁３４０ａを備える。再閉鎖可能な端部閉鎖部Ｃは、折り曲げ線３４１ｂの形態のヒンジ接続部により第２側壁３３８ｂにヒンジ式に結合された第２内側側壁３４０ｂを備える。
【０１３１】
前壁３３４は、折り曲げ線３３５により第１端部閉鎖パネル３２２ａにヒンジ式に接続される。内側前壁３３６は、折り曲げ線３３７により前壁３３４にヒンジ式に接続される。
【０１３２】
第１ウェブパネル対３４２ａ、３４４ａは、第１側壁３３８ａと前壁３３４とを相互接続する。第１ウェブパネル３４２ａは、折り曲げ線３４３ａにより第１側壁３３８ａにヒンジ式に接続される。第２ウェブパネル３４４ａは、折り曲げ線３４５ａにより第１ウェブパネル３４２ａにヒンジ式に接続される。第２ウェブ３４４ａパネルは、折り曲げ線３４７ａにより前壁３３４の第１サイドエッジにヒンジ式に接続される。
【０１３３】
第２ウェブパネル対３４２ｂ、３４４ｂは、第２側壁３３８ｂと前壁３３４とを相互接続する。第３ウェブパネル３４２ｂは、折り曲げ線３４３ｂにより第２側壁３３８ｂにヒンジ式に接続される。第４ウェブパネル３４４ｂは、折り曲げ線３４５ｂにより第３ウェブパネル３４２ｂにヒンジ式に接続される。第４ウェブパネル３４４ｂは、折り曲げ線３４７ｂにより前壁３３４の第２サイドエッジにヒンジ式に接続される。
【０１３４】
第１内側側壁３４０ａは、第１切り取り部Ｒ１の形態の受容部を備える。第２内側側壁３４０ｂは、第２切り取り部Ｒ２の形態の受容部を備える。内側前壁３３６は、第３切り取り部Ｒ３を備える。
【０１３５】
第１係止タブ３４６ａは、折り曲げ線３４９ａにより内側前壁３３６の第１サイドエッジにヒンジ式に接続される。第１係止タブ３４６ａは、第１切り取り部Ｒ１に対して相補的な形状である。第１係止タブ３４６ａ及び第１切り取り部Ｒ１は、再閉鎖可能な端部閉鎖部Ｃを建立状態で固定するための第１固定配置を形成する。
【０１３６】
第２係止タブ３４６ｂは、折り曲げ線３４９ｂにより内側前壁３３６の第２サイドエッジにヒンジ式に接続される。第２係止タブ３４６ｂは、第２切り取り部Ｒ２に対して相補的な形状である。第２係止タブ３４６ｂ及び第１切り取り部Ｒ２は、再閉鎖可能な端部閉鎖部Ｃを建立状態で固定するための第２固定配置を形成する。
【０１３７】
ブランクは、折り曲げ線３５１の形態のヒンジ接続部により第３壁部パネル３１６にヒンジ式に結合された固定タブ３５０を備える。固定タブ３５０は、第３切り取り部Ｒ３に対して相補的な形状である。
【０１３８】
固定タブ３５０及び第３切り取り部Ｒ３は、再閉鎖可能な端部閉鎖部Ｃを閉鎖された状態で係止するための係止配置を形成する。
【０１３９】
ブランク３１０は、第１内側側壁３４０ａのエッジから延在する第５係止タブＴ２を備える。ブランク３１０は、第２内側側壁３４０ｂのエッジから延在する第６係止タブＴ３を備える。
【０１４０】
第１係止タブ受容開口部Ａ４は、折り曲げ線３３９ａに隣接するように、また任意選択で折り曲げ線３３９ａを遮るように、第１端部閉鎖パネル３２２ａから打ち抜かれる。第２係止タブ受容開口部Ａ５は、折り曲げ線３３９ｂに隣接するように、また任意選択で折り曲げ線３３９ａを遮るように、第１端部閉鎖パネル３２２ａから打ち抜かれる。
【０１４１】
第１係止タブ受容開口部Ａ４は、第１係止タブＴ２に対して相補的な形状である。第１係止タブＴ２及び係止タブ受容開口部Ａ４は、第１側壁３３８ａと実質的に面で接する関係に折り曲げられた状態で第１内側側壁３４０ａを固定するための第１固定配置を形成する。
【０１４２】
第２係止タブ受容開口部Ａ５は、第２係止タブＴ３に対して相補的な形状である。第２係止タブＴ３及び係止タブ受容開口部Ａ５は、第２側壁３３８ｂと実質的に面で接する関係に折り曲げられた状態で第２内側側壁３４０ｂを固定するための第２固定配置を形成する。
【０１４３】
このようにして、再閉鎖可能な端部閉鎖部Ｃは、任意の接着剤その他の接着処理を必要とせずに、完全に組み立てられ得る。
【０１４４】
次いで、図１１〜図１５を参照すると、本開示の追加の実施形態が示されている。図示される第４実施形態では、可能な場合には、同様の部分を表すために、同様の符号が使用されている。ただし、これらの特徴が第４実施形態に属することを示すために、頭に「４００」が追加されている。図示される第４実施形態では、これらの特徴が第４実施形態に属することを示すように、可能な場合には、同様の部分を表すために同様の参照が使用されている。追加の実施形態は、第１実施形態、第２実施形態、及び第３実施形態との間で多くの共通する特徴を共有するので、図１〜図１０に図示され実施形態との相違点のみを詳細に説明する。
【０１４５】
図１１を参照すると、一つ以上の一次製品を梱包することが可能なカートン４９０を形成するためのブランク４１０が示されている。
【０１４６】
ブランク４１０は、一つずつ直列にヒンジ式に結合された複数のメインパネル４１２、４１４、４１６、４１８、４２０、４２２、４２４を備える。ブランク４１０の複数のメインパネル４１２、４１４、４１６、４１８、４２０、４２２、４２４は、組み立てられた状態では管状構造体の壁部を形成する。ブランク４１０は、第１内側壁部パネル４１２を備え、第１内側壁部パネル４１２は、カートン４９０の第１側壁の内側プライを形成する。第１内側壁部パネル４１２は、折り曲げ線４１３などのヒンジ接続部により第２内側壁部パネル４１４にヒンジ式に結合される。折り曲げ線４１３は、任意選択で細長開口部Ａ１及びリセスＲ１により遮られ；細長開口部Ａ１及びリセスＲ１は、折り曲げ線４１３の折り曲げ抵抗性を低減する。第２内側壁部パネル４１４は、カートン４９０のドアの内側プライを形成する。第２内側壁部パネル４１４は、折り曲げ線４１５などのヒンジ接続部により第１外側壁部パネル４１６にヒンジ式に結合される。第１外側壁部パネル４１６は、カートン４９０のドアの外側プライを形成する。第１外側壁部パネル４１６は、折り曲げ線４１７などのヒンジ接続部により第２外側壁部パネル４１８にヒンジ式に結合される。第２外側壁部パネル４１８は、カートン４９０の第１側壁の外側プライを形成する。第２外側壁部パネル４１８は、折り曲げ線４１９などのヒンジ接続部により第３外側壁部パネル４２０にヒンジ式に結合される。第３外側壁部パネル４２０は、カートン４９０の後壁４２０を形成する。第３外側壁部パネル４２０は、折り曲げ線４２１などのヒンジ接続部により第４外側壁部パネル４２２にヒンジ式に結合される。第４外側壁部パネル４２２は、カートン４９０の第２側壁の外側プライ４２２を形成する。第４外側壁部パネル４２２は、その一部に沿って、折り曲げ線４２３などのヒンジ接続部により第３内側壁部パネル４２４にヒンジ式に結合される。第３内側壁部パネル４２４は、カートン４９０の第２側壁の内側プライ４２４を形成する。
【０１４７】
第５外側壁部パネル４４０は、第４外側壁部パネル４２２の一部に沿って、折り曲げ線４２３などのヒンジ接続部によりヒンジ式に結合される。第５外側壁部パネル４４０は、カートン４９０の前壁を形成する。
【０１４８】
第５外側壁部パネル４４０は、カットライン又は破断容易線により第３内側壁部パネル４２４から分離されるか又は分離可能である。代替的な実施形態では、第５外側壁部パネル４４０は、切り取り部により第３内側壁部パネル４２４から分離される。
【０１４９】
固定パネル４３８は、折り曲げ線４３９などのヒンジ接続部により第５外側壁部パネル４４０にヒンジ式に結合される。
【０１５０】
管状構造体は、端部閉鎖構造により少なくとも部分的に閉鎖される。
【０１５１】
管状構造体の第１端（上側端）は、端部閉鎖パネル４２８ａにより少なくとも部分的に閉鎖され、図示される実施形態では、以下でより詳細に説明される管状構造体の再閉鎖可能な端部閉鎖部Ｃの上壁を形成する。
【０１５２】
管状構造体の第２端（下側端）は、複数の端部閉鎖パネル４２６ｂ、４２８ｂ、４３０ｂ、４３２ｂにより少なくとも部分的に閉鎖され、図示される実施形態では、管状構造体の底壁を形成する。
【０１５３】
図示される実施形態では、管状構造体の第１端及び第２端はそれぞれ、端部閉鎖パネル４２８ａ及び複数の下端部閉鎖パネル４２６ｂ、４２８ｂ、４３０ｂ、４３２ｂにより完全に閉鎖される。複数の端部閉鎖パネル４２６ｂ、４２８ｂ、４３０ｂ、４３２ｂは、ブランク４１０が平坦に折り畳まれた形態から管状構造体へ建立される際に建立可能な複合底壁を形成する。複合底壁は、複合底壁は、非接着固定されてもよい。すなわち、接着剤その他の接着手段を必要とせずに複合底壁を所定位置に固定してもよい。
【０１５４】
第１端部閉鎖パネル４２８ａは、第１上部パネル４２８ａを形成するとともに、折り曲げ線４２９ａにより第３外側壁部パネル４２０の第１端にヒンジ式に接続される。
【０１５５】
第２端部閉鎖パネル４２６ｂは、第１ベースパネル４２６ｂを形成するとともに、折り曲げ線４３１ｂにより第２外側壁部パネル４１８の第２端にヒンジ式に接続される。「Ｖ」字型の切り取り部が、第３端部閉鎖パネル４２８ｂに隣接する第２端部閉鎖パネル４２６ｂのサイドエッジから打ち抜かれる。
【０１５６】
第３端部閉鎖パネル４２８ｂは、第２ベースパネル４２８ｂを形成するとともに、折り曲げ線４２９ｂにより第３外側壁部パネル４２０の第２端にヒンジ式に接続される。第３端部閉鎖パネル４２８ｂは、その端縁から打ち抜かれた切り取り部を備える。切り取り部は、略長方形の形状である。
【０１５７】
第４端部閉鎖パネル４３０ｂは、第３ベースパネル４３０ｂを形成するとともに、折り曲げ線４３３ｂにより第４外側壁部パネル４２２の第２端にヒンジ式に接続される。「Ｖ」字型の切り取り部が、第３端部閉鎖パネル４２８ｂに隣接する第４端部閉鎖パネル４３０ｂのサイドエッジから打ち抜かれる。
【０１５８】
第５端部閉鎖パネル４３２ｂは、第５ベースパネル４３２ｂを形成するとともに、折り曲げ線４３５ｂにより第５外側壁部パネル４４０の第２端にヒンジ式に接続される。第５端部閉鎖パネル４３２ｂは、略三角形の形状である。第１固定タブ４３４ａは、折り曲げ線４３７ａにより第５端部閉鎖パネル４３２ｂにヒンジ式に接続される。第２固定タブ４３４ｂは、折り曲げ線４３７ｂにより第５端部閉鎖パネル４３２ｂにヒンジ式に接続される。
【０１５９】
ブランク４１０は、再閉鎖可能な端部閉鎖部Ｃの形態のキャップを備える。再閉鎖可能な端部閉鎖部Ｃは、第１端部閉鎖パネル４２８ａを備える。再閉鎖可能な端部閉鎖部Ｃは、再閉鎖可能な端部閉鎖部Ｃの側壁及び前壁を形成する複数のパネルを備える。再閉鎖可能な端部閉鎖部Ｃは、折り曲げ線４５３ａの形態のヒンジ接続部により第１端部閉鎖パネル４２８ａの第１側にヒンジ式に結合された第１側壁４５２ａを備える。再閉鎖可能な端部閉鎖部Ｃは、折り曲げ線４５３ｂの形態のヒンジ接続部により第１端部閉鎖パネル４２８ａの第２側にヒンジ式に結合された第２側壁４５２ｂを備える。再閉鎖可能な端部閉鎖部Ｃは、折り曲げ線４５５ａの形態のヒンジ接続部により第１側壁４５２ａにヒンジ式に結合された第１内側側壁４５４ａを備える。再閉鎖可能な端部閉鎖部Ｃは、折り曲げ線４５５ｂの形態のヒンジ接続部により第２側壁４５２ｂにヒンジ式に結合された第２内側側壁４５４ｂを備える。
【０１６０】
キャップの前壁４４２は、折り曲げ線４４３により第１端部閉鎖パネル４２８ａにヒンジ式に接続される。内側前壁４４６は、折り曲げ線４４５により前壁４４２にヒンジ式に接続される。
【０１６１】
第１固定タブ４４８ａは、折り曲げ線４５７ａにより第１側壁４５２ａにヒンジ式に接続される。第１固定タブ４４８ａは、カットラインにより前壁４４２から分離される。第２固定タブ４４８ｂは、折り曲げ線４５７ｂにより第２側壁４５２ｂにヒンジ式に接続される。第２固定タブ４４８ｂは、カットラインにより前壁４４２から分離される。
【０１６２】
第１内側側壁４５４ａは、第１切り取り部Ｒ３の形態の受容部を備える。第２内側側壁４５４ｂは、第２切り取り部Ｒ４の形態の受容部を備える。内側前壁４４６は、第３切り取り部Ｒ２の形態の受容部を備える。
【０１６３】
第１係止タブ４５６ａは、折り曲げ線４５９ａにより内側前壁４４６の第１サイドエッジにヒンジ式に接続される。第１係止タブ４５６ａは、第１切り取り部Ｒ３に対して相補的な形状である。第１係止タブ４５６ａ及び第１切り取り部Ｒ３は、再閉鎖可能な端部閉鎖部Ｃを建立状態で固定するための第１固定配置を形成する。
【０１６４】
第２係止タブ４５６ｂは、折り曲げ線４５９ｂにより内側前壁４４６の第２サイドエッジにヒンジ式に接続される。第２係止タブ４５６ｂは、第２切り取り部Ｒ４に対して相補的な形状である。第２係止タブ４５６ｂ及び第１切り取り部Ｒ４は、再閉鎖可能な端部閉鎖部Ｃを建立状態で固定するための第２固定配置を形成する。
【０１６５】
ブランクは、折り曲げ線４５１の形態のヒンジ接続部により第１外側壁部パネル４１６にヒンジ式に結合された固定タブ４５０を備える。固定タブ４５０は、第３切り取り部Ｒ２に対して相補的な形状である。
【０１６６】
固定タブ４５０及び第３切り取り部Ｒ２は、再閉鎖可能な端部閉鎖部Ｃを閉鎖された状態で係止するための係止配置を形成する。
【０１６７】
図１２に図示されるようなカートン４９０の組み上げについては、接着剤Ｇその他の接着処理が第１外側壁部パネル４１６の内面の一部及び第２外側壁部パネル４１８の内面に適用される。
【０１６８】
あるいは、接着剤Ｇその他の接着処理は、第２内側壁部パネル４１４の内面に適用されてもよい。
【０１６９】
接着剤Ｇは、第２外側壁部パネル４１８のうち、ブランク４１０が折り曲げ線４１５について折り曲げられる際に第１内側壁部パネル４１２の下に位置する領域に適用される。あるいは、接着剤Ｇその他の接着処理は、第１内側壁部パネル４１２の内面に適用されてもよい。
【０１７０】
ブランク４１０は、第１内側壁部パネル４１２が、第２外側壁部パネル４１８の上に位置する関係で配置され、第２内側壁部パネル４１４が、第１外側壁部パネル４１６の上に位置する関係で配置されるように、折り曲げ線４１５について折り曲げられる。第１内側壁部パネル４１２は、第２外側壁部パネル４１８に固定され、第２内側壁部パネル４１４は、第１外側壁部パネル４１６に固定される。
【０１７１】
接着剤Ｇその他の接着処理が、第４外側壁部パネル４２２の内面に適用される。あるいは、接着剤Ｇその他の接着処理は、第３内側壁部パネル４２４の内面に適用されてもよい。
【０１７２】
第３内側壁部パネル４２４は、第４外側壁部パネル４２２の上に位置するように、折り曲げ線４２３について折り曲げられる。第３内側壁部パネル４２４は、第４外側壁部パネル４２２に固定される。
【０１７３】
接着剤Ｇその他の接着処理が、固定パネル４３８の外面に適用される。あるいは、接着剤Ｇその他の接着処理は、第２外側壁部パネル４１８の内面の対応する領域に適用されてもよい。
【０１７４】
第２外側壁部パネル４１８は、第３外側壁部パネル４２０の上に位置するように、折り曲げ線４１９について折り曲げられる。第２外側壁部パネル４１８は、固定パネル４３８と面で接する関係とされるとともに、固定パネル４３８に固定される。
【０１７５】
接着剤Ｇその他の接着処理は、第１側壁４５２ａの内面に適用される。接着剤Ｇその他の接着処理は、第２側壁４５２ｂの内面に適用される。
【０１７６】
第１内側側壁４５４ａは、第１側壁４５２ａの上に位置するように、折り曲げ線４５５ａについて折り曲げられる。第１内側側壁４５４ａは、第１側壁４５２ａに固定される。
【０１７７】
第２内側側壁４５４ｂは、第２側壁４５２ｂの上に位置するように、折り曲げ線４５５ｂについて折り曲げられる。第２内側側壁４５４ｂは、第２側壁４５２ｂに固定される。
【０１７８】
このようにして、ブランク４１０は、折り畳まれた平坦な管状構造体へ形成され、この折り畳まれた平坦な管状構造体は、当該折り畳まれた平坦な管状構造体が管状構造体へ建立されて物品を充填され得る変形工場に、容易に配送又は流通させることができる。ブランク４１０は、接着剤その他の接着処理の適用の必要なしに、変形工場において建立可能であり、組み立てが完了する。
【０１７９】
図１３〜図１５は、再閉鎖可能な端部閉鎖部Ｃの組み立てを図示する。再閉鎖可能な端部閉鎖部Ｃは、第１端部閉鎖パネル４２８ａに実質的に垂直となるように、折り曲げ線４５３ａについて第１側壁４５２ａを、ひいては同時に第１内側側壁４５４ａを折り曲げることにより建立され得る。
【０１８０】
第２側壁４５２ｂは、第１端部閉鎖パネル４２８ａに実質的に垂直となるように、折り曲げ線４５３ｂについて折り曲げられ、ひいては同時に第２内側側壁４５４ｂが折り曲げられる。
【０１８１】
第１固定タブ４４８ａは、第１側壁４５２ａに実質的に垂直となるように、折り曲げ線４５７ａについて折り曲げられる。第２固定タブ４４８ｂは、第２側壁４５２ｂに実質的に垂直となるように、折り曲げ線４５７ｂについて折り曲げられる。
【０１８２】
前壁４４２は、第１端部閉鎖パネル４２８ａに実質的に垂直となるように、折り曲げ線４４３について折り曲げられる。
【０１８３】
内側前壁４４６は、第１固定タブ４４８ａ及び第２固定タブ４４８ｂの各々と面で接する関係となるように、折り曲げ線４４５について折り曲げられる。第１固定タブ４４８ａ及び第２固定タブ４４８ｂは、内側前壁４４６と前壁４４２との間に配置される。
【０１８４】
内側前壁４４６がそれぞれ折り曲げ線４５５ａ、４５５ｂにより画定される第１側壁４５２ａ及び第２側壁４５２ｂのエッジを通る際に、第１係止タブ４５６ａ及び第２係止タブ４５６ｂは、折り曲げ線４５９ａ、４５９ｂの各々について折り曲げられる。
【０１８５】
内側前壁４４６が、第１固定タブ４４８ａ及び第２固定タブ４４８ｂの各々と面で接する関係とされる際に、第１係止タブ４５６ａ及び第２係止タブ４５６ｂは、第１切り取り部Ｒ３及び第２切り取り部Ｒ４の各々に受容される。
【０１８６】
図１５に示されるように、第１係止タブ４５６ａは、第１切り取り部Ｒ３とかみ合い、第２係止タブ４５６ｂは、第２切り取り部Ｒ４とかみ合う。このようにして、再閉鎖可能な端部閉鎖部Ｃは、建立状態で固定される。
【０１８７】
組み立てられたカートン４９０が図１２に示されている。カートン４９０は、折り曲げ線４１３、４１５により第１側壁４１２／４１８にヒンジ式に接続されたドア４１４／４１６を備える。
【０１８８】
第５外側壁部パネル４４０は、カートン４９０の下端とカートン４９０の上端との間に部分的に延在する、カートン４９０の前壁４４０を形成する。前壁４４０は、ドア４１４／４１６が開いているときに、カートン４９０内に配置された物品（複数可）が意図せずに出てきてしまうのを防ぐ。
【０１８９】
ドア４１４／４１６は、再閉鎖可能な端部閉鎖部Ｃにより閉位置に保持される。前壁４４０は、閉鎖されるとドア４１４／４１６の上部と重なるので、ドアが開くのを防ぐ。
【０１９０】
カートン４９０の内容物には、折り曲げ線４２９ａについて再閉鎖可能な端部閉鎖部Ｃを回転させることで第１端部閉鎖パネル４２８ａを展開することによりアクセスすることができる。
【０１９１】
キャップの前壁４４２がドア４１４／４１６の上側エッジを解放する（ｃｌｅａｒ）と、ドアが開放可能となる。すると、使用者は、カートン４９０の内容物を取り去るために、当該内容物に容易にアクセスすることができる。
【０１９２】
カートン４９０中で内容物を交換することができ、ドア４１４／４１６を閉鎖してさらに再閉鎖可能な端部閉鎖部Ｃを閉鎖することにより、カートンを再閉鎖することができる。
【０１９３】
再閉鎖可能な端部閉鎖部Ｃは、第３切り取り部Ｒ２と固定タブ４５０との間の相互作用により固定又は保持される。
【０１９４】
ドア４１４／４１６は、第１外側壁部パネル４１６の外側表面が第２外側壁部パネル４１８の外側表面に出会うようにドア４１４／４１６を２７０°折り曲げることにより、完全開放位置へ開放され得る。ドア４１４／４１６は、再閉鎖可能な端部閉鎖部Ｃを閉鎖することにより、上記の完全開放位置で保持され得る。カートン４９０は、消費者にカートン４９０の内容物が見えるようにする目的で、このようにして展開され得る。
【０１９５】
本発明の範囲内で様々な変更が可能であることが理解され得る。例えば、異なる大きさや形状の物品を収容できるように、パネル及び開口部の大きさ及び形状が調節されてよい。
【０１９６】
本明細書で使用される場合、「上（ｔｏｐ）」、「底（ｂａｓｅ）」、「前（ｆｒｏｎｔ）」、「後ろ（ｂａｃｋ）」、「端（ｅｎｄ）」、「側部（ｓｉｄｅ）」、「内側（ｉｎｎｅｒ）」、「外側（ｏｕｔｅｒ）」、「上側（ｕｐｐｅｒ）」、及び「下側（ｌｏｗｅｒ）」といった方向に関する参照は、各パネルがこのような向きであると限定するものではなく、単にこれらのパネルを互いに区別するためのものであることが認識されよう。「ヒンジ式接続（ｈｉｎｇｅｄ  ｃｏｎｎｅｃｔｉｏｎ）」との参照は、必ずしも単一の折り曲げ線のみを指すものと解釈すべきではなく、実際には、ヒンジ接続部とは、本発明の範囲を逸脱することなく、短スリット、破断容易線、又は折り曲げ線のうち一つ以上から形成され得ることを想定したものである。本発明の範囲内で様々な変更が可能であることが理解されよう。例えば、異なる大きさや形状の物品を収容できるように、パネル及び開口部の大きさ及び形状が調節されてよい。
【０１９７】
本明細書で使用される場合、「ヒンジ式接続」及び「折り曲げ線」との語はそれぞれ、シート材料のブランク若しくは基材のヒンジ的な特徴を規定したり、シート材料のブランク若しくは基材の一部を互いに折り曲げるのを容易にしたり、又はその他の形でシート材料のブランク若しくは基材のための最適なパネル折り曲げ位置を示す、あらゆる種類の線を指すものである。「ヒンジ式接続」との参照は、必ずしも単一の折り曲げ線のみを指すものと解釈すべきではなく、実際には、ヒンジ接続部は、一つ以上の折り曲げ線から形成され得る。
【０１９８】
本明細書で使用される場合、「折り曲げ線（ｆｏｌｄ  ｌｉｎｅ）」との語は、本発明の範囲を逸脱することなく、スコア線、エンボス線、デボス線、ミシン線、短スリット線、ハーフカット線、単一のハーフカット、途中で遮られたカットライン（ｉｎｔｅｒｒｕｐｔｅｄ  ｃｕｔ  ｌｉｎｅ）、整列スリット（ａｌｉｇｎｅｄ  ｓｌｉｔｓ）、短スコア線、及びこれらの任意の組合せのうち一つを指し得る。
【０１９９】
ヒンジ式接続、折り曲げ線はそれぞれ、シート材料のブランク又は基材に形成された要素であって、ミシン目、ミシン線、短スリット線、ハーフカット線、単一のハーフカット、カットライン、途中で遮られたカットライン、スリット、スコア、これらの任意の組合せなどであり得ることが理解されるべきである。これらの要素は、所望の機能性を提供するような大きさ及び配置とされ得る。例えば、ミシン線は、折り曲げ線及び／又は切断線（ｓｅｖｅｒａｎｃｅ  ｌｉｎｅ）を画成する程度に弱化されているような大きさ又は設計とすることができる。ミシン目は、折り曲げ線を形成するために容易に折り曲げられ且つ耐破断性を有するように、又は弱化折り曲げ線を形成するために容易に折り曲げられ且つより力を加えれば容易に破断されるように、又は、切断線を形成するためにほぼ力を加えずとも容易に破断されるように、設計され得る。
【符号の説明】
【０２００】
１０  ブランク
１２  第１壁部パネル
１４  第２壁部パネル
１６  第３壁部パネル
１８  第４壁部パネル
２０  固定パネル
２２ａ  第１端部閉鎖パネル
２２ｂ  第２端部閉鎖パネル
２４ｂ  第３端部閉鎖パネル
２６ｂ  第４端部閉鎖パネル
２８ｂ  第５端部閉鎖パネル
３０ｂ  第１固定タブ
３２ｂ  第２固定タブ
３４  前壁
３６  内側前壁
３８ａ  第１側壁
３８ｂ  第２側壁
４０ａ  第１内側側壁
４０ｂ  第２内側側壁
４２ａ  第１ウェブパネル
４２ｂ  第３ウェブパネル
４４ａ  第２ウェブパネル
４４ｂ  第４ウェブパネル
４６ａ  第１係止タブ
４６ｂ  第２係止タブ
５０  固定タブ
５２  上側パネル
５４  スペーサパネル
５６  下側パネル
５８  固定パネル
９０  カートン
２１０  ブランク
２１２  第１壁部パネル
２１４  第２壁部パネル
２１６  第３壁部パネル
２１８  第４壁部パネル
２２０  固定パネル
２２２ａ  第１端部閉鎖パネル
２２２ｂ  第２端部閉鎖パネル
２２４ｂ  第３端部閉鎖パネル
２２６ｂ  第４端部閉鎖パネル
２２８ｂ  第５端部閉鎖パネル
２３０ａ  第１固定タブ
２３０ｂ  第２固定タブ
２３４  前壁
２３６  内側前壁
２３８ａ  第１側壁
２３８ｂ  第２側壁
２４０ａ  第１内側側壁
２４０ｂ  第２内側側壁
２４２ａ  第１ウェブパネル
２４２ｂ  第３ウェブパネル
２４４ａ  第２ウェブパネル
２４４ｂ  第４ウェブパネル
２５２ａ  第１上側パネル
２５２ｂ  第２上側パネル
２５４ａ  第１スペーサパネル
２５４ｂ  第２スペーサパネル
２５６ａ  第１下側パネル
２５６ｂ  第２下側パネル
２５８ａ  第１固定パネル
２５８ｂ  第２固定パネル
２９０  カートン
３１０  ブランク
３１２  第１壁部パネル
３１４  第２壁部パネル
３１６  第３壁部パネル
３１８  第４壁部パネル
３２０  固定パネル
３２２ａ  第１端部閉鎖パネル
３３４  前壁
３３６  内側前壁
３３８ａ  第１側壁
３３８ｂ  第２側壁
３４０ａ  第１内側側壁
３４０ｂ  第２内側側壁
３４２ａ  第１ウェブパネル
３４２ｂ  第３ウェブパネル
３４４ａ  第２ウェブパネル
３４４ｂ  第４ウェブパネル
３４６ａ  第１係止タブ
３４６ｂ  第２係止タブ
３５０  固定タブ
４１０  ブランク
４１２  第１内側壁部パネル
４１４  第２内側壁部パネル
４１６  第１外側壁部パネル
４１８  第２外側壁部パネル
４２０  第３外側壁部パネル
４２２  第４外側壁部パネル
４２４  第３内側壁部パネル
４２６ｂ  第２端部閉鎖パネル
４２８ａ  第１端部閉鎖パネル
４２８ｂ  第３端部閉鎖パネル
４３０ｂ  第４端部閉鎖パネル
４３２ｂ  第５端部閉鎖パネル
４３４ａ  第１固定タブ
４３４ｂ  第２固定タブ
４３８  固定パネル
４４０  第５外側壁部パネル
４４２  前壁
４４６  内側前壁
４４８ａ  第１固定タブ
４４８ｂ  第２固定タブ
４５０  固定タブ
４５２ａ  第１側壁
４５２ｂ  第２側壁
４５４ａ  第１内側側壁
４５４ｂ  第２内側側壁
４５６ａ  第１係止タブ
４５６ｂ  第２係止タブ
４９０  カートン
【図１】
2018527260.tif 000003
【図２ａ】
2018527260.tif 000004
【図２ｂ】
2018527260.tif 000005
【図２ｃ】
2018527260.tif 000006
【図３ａ】
2018527260.tif 000007
【図３ｂ】
2018527260.tif 000008
【図３ｃ】
2018527260.tif 000009
【図４】
2018527260.tif 000010
【図５】
2018527260.tif 000011
【図６】
2018527260.tif 000012
【図７】
2018527260.tif 000013
【図８】
2018527260.tif 000014
【図９】
2018527260.tif 000015
【図１０】
2018527260.tif 000016
【図１１】
2018527260.tif 000017
【図１２】
2018527260.tif 000018
【図１３】
2018527260.tif 000019
【図１４】
2018527260.tif 000020
【図１５】
2018527260.tif 000021
【手続補正書】
【提出日】平成30年5月18日(2018.5.18)
【手続補正１】
【補正対象書類名】特許請求の範囲
【補正対象項目名】全文
【補正方法】変更
【補正の内容】
【特許請求の範囲】
【請求項１】
一つ以上の物品を梱包するためのカートンであって、
第１側壁；第２側壁；前壁；及び後壁を含む、管状構造体を形成するための複数の壁部と；
前記複数の壁部のうち第１壁部にヒンジ式に接続された、前記管状構造体の第１端を閉鎖するためのキャップであって、
前記第１端を閉鎖するための端部閉鎖パネル；
キャップ前壁；
第１キャップ側壁；及び
第２キャップ側壁；
を有し、
前記キャップ前壁、前記第１キャップ側壁、及び前記第２キャップ側壁は、前記複数の壁部のうち他の壁部の、前記第１端の近傍の部分を受容するように構成されており、
前記キャップは、平坦に折り畳まれた形態へ折り畳み可能であるように構成されている、キャップと、
を備えるカートン。
【請求項２】
管状構造体を形成するための前記複数の壁部は、平坦に折り畳まれた形態へ折り畳み可能であるように構成されている、請求項１に記載のカートン。
【請求項３】
前記キャップは、前記キャップを建立状態で固定するように前記キャップの係止を行うように構成された、少なくとも一つの係止タブ及び少なくとも一つの係止タブ受容部を備える、請求項１に記載のカートン。
【請求項４】
前記複数の壁部のうち第２壁部が、固定タブを備え、前記キャップは、前記キャップを閉鎖された状態で固定するためのキャップ固定配置を形成する固定タブ受容部を備える、請求項１に記載のカートン。
【請求項５】
前記キャップは、第１キャップ内側側壁及び第２キャップ内側側壁を備え、前記第１キャップ内側側壁及び前記第２キャップ内側側壁の各々は、少なくとも部分的にそれぞれの受容部を画定する切り取り部を備え、前記キャップは、前記受容部の各々に受容されるように配置された第１係止タブ及び第２係止タブを有する内側前壁を備える、請求項１に記載のカートン。
【請求項６】
前記キャップは、前記端部閉鎖パネルに設けられた前壁係止タブ受容部に受容されるように配置された第１前壁係止タブを有する内側前壁を備える、請求項１に記載のカートン。
【請求項７】
前記第１キャップ内側側壁及び前記第２キャップ内側側壁の各々は、側壁係止タブを備え、前記端部閉鎖パネルは、前記側壁係止タブの各々を受容するための第１側壁係止タブ受容部及び第２側壁係止タブ受容部を備える、請求項５に記載のカートン。
【請求項８】
前記キャップは、前記第１キャップ側壁を前記キャップ前壁とヒンジ式に相互接続する第１ウェブパネル対を備える、請求項１に記載のカートン。
【請求項９】
前記キャップは、前記第２キャップ側壁を前記キャップ前壁とヒンジ式に相互接続する第２ウェブパネル対を備える、請求項１に記載のカートン。
【請求項１０】
前記キャップは、前記第１キャップ側壁にヒンジ式に接続された第１キャップ側壁係止タブを備える、請求項１に記載のカートン。
【請求項１１】
前記キャップは、前記第２キャップ側壁にヒンジ式に接続された第２キャップ側壁係止タブを備える、請求項１に記載のカートン。
【請求項１２】
前記カートンは、第１パネル、第２パネル、及び前記第２パネルを前記第１パネルから離間させるためのスペーサパネルを有する第１物品受容構造を備える、請求項１に記載のカートン。
【請求項１３】
前記第１パネルは、前記カートンの前記複数の壁部のうち第３壁部にヒンジ式に結合されている、請求項１２に記載のカートン。
【請求項１４】
前記第１物品受容構造は、前記カートンの前記複数の壁部のうち前記第３壁部に前記第２パネルを固定するための固定パネルを備える、請求項１３に記載のカートン。
【請求項１５】
前記カートンは、第３パネル、第４パネル、及び前記第４パネルを前記第３パネルから離間させるための第２スペーサパネルを有する第２物品受容構造を備える、請求項１３に記載のカートン。
【請求項１６】
前記第３パネルは、前記カートンの前記複数の壁部のうち第２壁部に隣接するように、前記カートンの前記複数の壁部のうち前記第２壁部にヒンジ式に結合されている、請求項１５に記載のカートン。
【請求項１７】
前記第２物品受容構造は、前記カートンの前記複数の壁部のうち前記第２壁部に前記第４パネルを固定するための固定パネルを備える、請求項１６に記載のカートン。
【請求項１８】
前記カートンの前記複数の壁部のうち前記第２壁部は、前記カートンの前記複数の壁部のうち前記第１壁部の反対側に配置されている、請求項４又は１６に記載のカートン。
【請求項１９】
前記第３パネル及び前記固定パネルは、互いに隣接して、前記カートンの前記複数の壁部のうち同じ壁部にヒンジ式に結合されている、請求項１７に記載のカートン。
【請求項２０】
一つ以上の物品を梱包するためのカートンであって、
第１側壁；第２側壁；前壁；及び後壁を含む、管状構造体を形成するための複数の壁部と；
前記複数の壁部のうち第１壁部にヒンジ式に接続された、前記管状構造体の第１端を閉鎖するためのキャップであって、
前記第１端を閉鎖するための端部閉鎖パネル；
キャップ前壁；
第１キャップ側壁；及び
第２キャップ側壁；
を有し、
前記キャップ前壁、第１キャップ側壁、及び第２キャップ側壁は、前記複数の壁部のうち他の壁部の、前記第１端の近傍の部分を受容するように構成されている、キャップと；
前記第１側壁及び前記第２側壁の一方にヒンジ式に接続されたドアであって、前記キャップにより閉位置に保持可能であり、前記キャップにより開位置に保持可能であるドアと、
を備えるカートン。
【請求項２１】
前記キャップは、平坦に折り畳まれた形態へ折り畳み可能であるように構成されている、請求項２０に記載のカートン。
【請求項２２】
管状構造体を形成するための前記複数の壁部は、平坦に折り畳まれた形態へ折り畳み可能であるように構成されている、請求項２０に記載のカートン。
【請求項２３】
前記前壁は、前記ドアが少なくとも部分的に開いている場合にディスプレイ窓を提供するように、前記管状構造体の第１端と前記管状構造体の第２端との間で部分的に延在する、請求項２０に記載のカートン。
【請求項２４】
前記ドアは、固定タブを備え、前記キャップは、前記キャップ及び前記ドアを閉鎖された状態で固定するためのキャップ固定配置を形成する固定タブ受容部を備える、請求項２０に記載のカートン。
【請求項２５】
カートンを形成するためのブランクであって、
第１側壁パネル；第２側壁パネル；前壁パネル；及び後壁パネルを含む、管状構造体の壁部を形成するための複数の壁部パネルと；
前記管状構造体の第１端を閉鎖するためのキャップを形成するための複数のキャップパネルであって、
前記複数の壁部パネルのうち第１壁部パネルにヒンジ式に接続された、前記第１端を閉鎖するための端部閉鎖パネルと；
キャップ前壁パネルと；
第１キャップ側壁パネルと；
第２キャップ側壁パネルと；
を有し、
前記キャップ前壁パネル、第１キャップ側壁パネル、及び第２キャップ側壁パネルは、組み立てられた状態において、前記複数の壁部パネルのうち他の壁部パネルの、前記第１端の近傍の部分を受容するように構成されており、
前記複数のキャップパネルは、平坦に折り畳まれた形態へ折り畳み可能であるように構成されている、複数のキャップパネルと、
を備えるブランク。
【請求項２６】
カートンを形成するためのブランクであって、
第１側壁パネル；第２側壁パネル；前壁パネル；及び後壁パネルを含む、管状構造体を形成するための複数の壁部パネルと；
前記管状構造体の第１端を閉鎖するためのキャップを形成するための複数のキャップパネルであって、
前記複数の壁部パネルのうち第１壁部パネルにヒンジ式に接続された、前記第１端を閉鎖するための端部閉鎖パネル；
キャップ前壁パネル；
第１キャップ側壁パネル；及び
第２キャップ側壁パネル；
を有し、
前記キャップ前壁パネル、第１キャップ側壁パネル、及び第２キャップ側壁パネルは、組み立てられた状態において、前記複数の壁部パネルのうち他の壁部パネルの、前記第１端の近傍の部分を受容するように構成されている、複数のキャップパネルと；
前記第１側壁パネル及び前記第２側壁パネルの一方にヒンジ式に接続されるドアを形成するための少なくとも一つのパネルであって、立ち上げられたカートンにおいて、前記ドアは、前記キャップにより閉位置に保持可能であり、前記ドアは、前記キャップにより開位置に保持可能である、少なくとも一つのパネルと、
を備えるブランク。
【国際調査報告】
2018527260.tif 000022
2018527260.tif 000023
2018527260.tif 000024
2018527260.tif 000025
2018527260.tif 000026